(57)【要約】【課題】通電部の配線が天板と支持構造体とに挟まれることを防止することができる天板付き什器を提供する。【解決手段】脚部２（支持構造体）と、天板３の面が水平面となる第１姿勢と、天板３の面が鉛直面となる第２姿勢との間で脚部２に回動可能に支持された天板３と、天板３の下面３１ａに取り付けられた電源コンセント３３（通電部）と、電源コンセント３３に接続され電源コンセント３３に電源を供給する配線３５と、を有する天板付き什器１において、脚部２は、脚柱部２２と、脚柱部２２の上部に取り付けられ水平方向に延びて天板３を回動可能に支持する天板支持部５（脚柱上部水平部材）と、を有し、天板支持部５には、配線３５を脚部２に対する移動を許容しつつ保持して脚柱部２２まで案内する第１配線保持部３６が設けられている。【選択図】図２
2020069333.tif 000002
【特許請求の範囲】
【請求項１】
支持構造体と、
天板面が水平面となる第１姿勢と、天板面が鉛直面となる第２姿勢との間で前記支持構造体に回動可能に支持された天板と、
前記天板の下面に取り付けられた通電部と、
前記通電部に接続され前記通電部に電源を供給する配線と、を有する天板付き什器において、
前記支持構造体は、脚柱部と、
前記脚柱部の上部に取り付けられ水平方向に延びる脚柱上部水平部材と、を有し、
前記脚柱上部水平部材には、前記配線を前記支持構造体に対する移動を許容しつつ保持して前記脚柱部まで案内する第１配線保持部が設けられていることを特徴とする天板付き什器。
【請求項２】
前記脚柱部は、前記配線を保持する第２配線保持部が設けられていることを特徴とする請求項１に記載の天板付き什器。
【請求項３】
前記脚柱上部水平部材に前記天板とともに回動に支持され、前記天板の下面に前記天板の回動軸が延びる方向に間隔をあけて前記通電部を挟むように取り付けられた一対の天板取付部を有し、
前記天板が前記第２姿勢となると、前記配線が一対の天板取付部の間を通って下方に延びるように構成されていることを特徴とする請求項１又は２に記載の天板付き什器。
【請求項４】
前記支持構造体は、設置面を走行可能に構成されていることを特徴とする請求項１乃至３のいずれか一項に記載の天板付き什器。
【発明の詳細な説明】
【技術分野】
【０００１】
本発明は、天板付き什器に関する。
【背景技術】
【０００２】
天板に電源コンセントが設けられたテーブルやデスクなどの天板付き什器が知られている（例えば、特許文献１参照）。特許文献１に開示された天板付き什器では、天板における奥行き方向の奥側に電源コンセントが設けられている。電源コンセントに電源を供給する配線は、天板の下側に垂れ下がることになる。また、この天板付き什器は、天板が脚部に回動可能に支持されていて、天板を跳ね上げることで重ねて収納できるように構成されている。電源コンセントは、天板を跳ね上げた場合でも、配線が脚部と干渉しない位置に設けられている。
ところで、特許文献２に開示されているような使用者が天板に対する多方向から使用可能なテーブルなどの天板付き什器では、電源コンセントが天板の中央部に設けられていると、電源コンセントに多方向からアクセスしやすいという利点がある。
【先行技術文献】
【特許文献】
【０００３】
【特許文献１】特開２００５−１０３１７０号公報
【発明の概要】
【発明が解決しようとする課題】
【０００４】
天板に電源コンセントを設ける場合、電源コンセントの位置は、天板の形状や使用形態などによって適宜設定されている。このため、電源コンセントの位置によっては天板を跳ね上げた際に、電源コンセントの配線が天板と脚部に挟まれる虞がある。
また、電源コンセントを脚部が保持している場合でも、天板の回動に伴って電源コンセントの配線も移動するため、配線が弛んでその弛んだ部分が天板と脚部とに挟まれる虞がある。
【０００５】
そこで、本発明は、通電部（電源コンセント）の配線が天板と支持構造体（脚部）とに挟まれることを防止することができる天板付き什器を提供することを目的とする。
【課題を解決するための手段】
【０００６】
上記目的を達成するため、本発明に係る天板付き什器は、支持構造体と、天板面が水平面となる第１姿勢と、天板面が鉛直面となる第２姿勢との間で前記支持構造体に回動可能に支持された天板と、前記天板の下面に取り付けられた通電部と、前記通電部に接続され前記通電部に電源を供給する配線と、を有する天板付き什器において、前記支持構造体は、脚柱部と、前記脚柱部の上部に取り付けられ水平方向に延びる脚柱上部水平部材と、を有し、前記脚柱上部水平部材には、前記配線を前記支持構造体に対する移動を許容しつつ保持して前記脚柱部まで案内する第１配線保持部が設けられていることを特徴とする。
【０００７】
本発明では、通電部の配線が脚柱上部水平部材に設けられた第１配線保持部に保持され脚柱部に案内されていることにより、配線を脚柱部の上端部から下側に沿わせるように設置することができる。このため、配線が天板から垂れ下がることがないとともに、天板が回動し配線が移動した際に生じる配線の弛みを最小限に抑えることができるため、配線が天板と支持構造体とに挟まれることを防止することができる。
【０００８】
また、本発明に係る天板付き什器では、前記脚柱部は、前記配線を保持する第２配線保持部が設けられていてもよい。
このような構成とすることにより、第１配線保持部から下側に延びる配線を第２配線保持部に保持させることで、容易に脚柱部に沿わせることができる。これにより、配線が脚柱部から離れて天板が回動した際に支持構造体と天板とに挟まれる位置に移動することを防止することができる。
【０００９】
また、本発明に係る天板付き什器では、前記脚柱上部水平部材に前記天板とともに回動に支持され、前記天板の下面に前記天板の回動軸が延びる方向に間隔をあけて前記通電部を挟むように取り付けられた一対の天板部を有し、前記天板が前記第２姿勢となると、前記配線が一対の天板取付部の間を通って下方に延びるように構成されていてもよい。
このような構成とすることにより、天板が第２姿勢となった場合でも、配線を一対の天板取付部の間から下側に延ばして第１配線保持部に到達させることができ、配線が天板取付部と干渉することがなく、配線が天板取付部と支持構造体との間に挟まれることを防止することができる。
【発明の効果】
【００１０】
本発明によれば、通電部の配線が天板と支持構造体とに挟まれることを防止することができる。
【図面の簡単な説明】
【００１１】
【図１】本発明の実施形態による天板付き什器の第１姿勢となった様子の一例を示す斜視図である。
【図２】本発明の実施形態による天板付き什器の第２姿勢となった様子の一例を示す斜視図である。
【図３】図１の天板本体を省略した斜視図である。
【図４】図２の天板本体を省略した斜視図である。
【図５】図３のカバー部を省略した斜視図である。
【図６】天板取付部の斜視図である。
【図７】天板取付部の他の方向から見た斜視図である。
【図８】カバー部の下面図である。
【図９】図８のＡ−Ａ線断面図である。
【図１０】リンク部の斜視図である。
【図１１】図３のＢ−Ｂ線に対応する断面図である。
【図１２】図４のＣ−Ｃ線に対応する断面図である。
【図１３】図３のＤ−Ｄ線に対応する断面図である。
【図１４】係止部の斜視図である。
【図１５】係止部の他の方向の斜視図である。
【図１６】可動部の斜視図である。
【図１７】可動部の他の方向の斜視図である。
【図１８】（ａ）は第１規制部の斜視図、（ｂ）は（ａ）のＥ−Ｅ線断面図、（ｃ）は（ａ）のＦ−Ｆ線断面図である。
【図１９】図１のＧ方向矢視図である。
【図２０】図１のＨ方向矢視図である。
【図２１】図１３に対応する操作レバーが操作された様子を示す図である。
【図２２】図４のＩ−Ｉ線に対応する断面図で、第２ピンが係止溝部に入る直前の第２姿勢の直前の様子を示す図である。
【図２３】図４のＩ−Ｉ線に対応する断面図で、第２ピンが係止溝部に入った第２姿勢の様子を示す図である。
【図２４】図２１に対応する操作レバーが操作された様子を示す図である。
【図２５】図２４の部分拡大図である。
【発明を実施するための形態】
【００１２】
以下、本発明の実施形態による天板付き什器について、図１乃至図２５に基づいて説明する。
図１および図２に示すように、本実施形態による天板付き什器１は、床に設置される脚部２（支持構造体）と、脚部２に対して回動可能に支持された天板３と、天板３を脚部２に対して回動可能に支持する回動機構４と、脚部２に対する天板３の回動を拘束可能な係止部８と、係止部８による天板３の脚部２に対する回動の拘束と許容とを切り替える操作手段９と、を有するテーブルで、天板３の姿勢を切り替え可能に構成されている。
【００１３】
天板３は、平板状の天板本体３１と、天板本体３１の一方の面に取りけられて脚部２に回動可能に支持された天板取付部６と、天板取付部６を覆うカバー部３２と、を有している。
天板３は、水平方向に延びる回動軸線回りに回動可能で、図１に示す天板本体３１の板面が水平面となる横臥した第１姿勢と、図２に示す天板本体３１の板面が略鉛直面となる起立した第２姿勢と、に切り替え可能に構成されている。天板取付部６は、天板本体３１における第１姿勢となった際の下面３１ａに固定されている。天板本体３１は、天板取付部６とともに脚部２に対して回動可能に構成されている。
天板３は、第１姿勢となると、その上面３１ｂで使用者が作業可能な状態となり、第２姿勢となると使用者が使用できない状態となる。天板３は、例えば天板付き什器１を収納する際に第２姿勢とするように設計されている。
【００１４】
天板３の回動軸線が延びる水平方向を幅方向とし、幅方向に直交する水平方向を前後方向とする。図１および図２に示すように、天板３は、第１姿勢から第２姿勢となると、第１姿勢における前後方向の一方側の縁部３ａが上側に向かい、第１姿勢における前後方向の他方側の縁部３ｂが下側に向かうように回動する。この前後方向における一方側を前側とし、他方側を後側とする。また、前後方向の前側を向いた際の右側を幅方向の一方側とし、左側を幅方向の他方側とする。
以下の部材、機構などの説明では、天板３が第１姿勢であるものとする。
【００１５】
天板本体３１は、板面が略正方形となる平板状に形成され、各縁部が幅方向および前後方向に延びる向きに配置されている。
天板本体３１には、天板本体３１の上で使用する電子機器のプラグを差し込み可能な電源コンセント３３が取り付けられている。
電源コンセント３３は、天板本体３１に埋め込まれたコンセント部３４と、コンセント部３４に接続されてコンセント部３４に電源を供給する配線３５と、を有している。配線は、天板本体３１の下側に引き出されている。
【００１６】
脚部２は、床に設置されるベース部２１と、ベース部２１から上方に延びる脚柱部２２と、脚柱部２２の上端部に固定された天板支持部５と、を有している。
本実施形態の天板付き什器１は、１つの脚部２が天板３を支持しており、この１つの脚部２が天板３の板面の中心に接続されている。なお、ベース部２１には、床を走行可能なキャスターが設けられていて、天板付き什器１が床を走行可能に構成されていてもよい。
【００１７】
図１−図４に示すように、回動機構４は、天板支持部５と天板取付部６との間に設けられ天板３の回動に追従するリンク部７と、天板取付部６に設けられリンク部７を前後方向に移動可能に支持するガイド部（溝部６４、図１１参照）と、を有している。
【００１８】
（天板支持部）
図３および図４に示すように、天板支持部５は、脚柱部２２の上端部に固定される底板部５１と、底板部５１の幅方向の両側に設けられ底板部５１から上方に突出する一対の側壁部５２と、を有している。
底板部５１は、前後方向よりも幅方向に長く、幅方向に対称な形状となっている。底板部５１は、幅方向の中央部が脚柱部２２の上端部に固定されている。
【００１９】
底板部５１は、第１姿勢となった天板本体３１とは離間している。底板部５１には、天板本体３１に取り付けられた電源コンセント３３の配線３５を保持する第１配線保持部３６が設けられている。第１配線保持部３６は、底板部５１の上部に取り付けられて配線３５を挿通した状態に保持する部材や、底板部５１を貫通し配線を挿通可能な孔部などである。第１配線保持部３６は、配線３５を移動可能に保持している。これにより、第１配線保持部３６に保持された配線３５は、天板３の回動に追従して移動可能に構成されている。
第１配線保持部３６に保持された配線３５は、脚柱部２２を伝わって床まで延ばされている。脚柱部２２には、配線３５を脚柱部２２に沿った状態に保持する第２配線保持部３７が設けられている。
【００２０】
一対の側壁部５２は、それぞれ壁面が幅方向を向き、前後方向に延びている。一対の側壁部５２は、互いに幅方向に対称な形状となっている。
側壁部５２の上端面５２２は、平坦な水平面となっている。側壁部５２の上端面５２２は、天板３が第１姿勢となると、天板３に下側から当接するように構成されている。
側壁部５２の後端面５２３は、底板部５１の後端部よりも後側に突出している。側壁部５２の前端面５２４は、底板部５１の前端部よりもやや前側に突出している。側壁部５２の前端面５２４は、高さ方向の中間部がその上下の部分よりも前側に張り出す円弧面となっている。
【００２１】
図４に示すように、側壁部５２の前端部分における下部側には、幅方向の中間部に前側および下側に開口する切り欠き部５２１が形成されている。側壁部５２の前端面５２４における切り欠き部５２１の上側は、上述したように円弧面に形成され、他の切り欠き部が形成されていない。側壁部５２の前端面５２４における切り欠き部５２１の上側の部分を前側円弧面５２５とする。
なお、側壁部５２の前端面５２４における切り欠き部５２１の上側は、切り欠き部など凹部が形成されていても、その凹部が塞がれていて円弧面が形成されている。
【００２２】
側壁部５２には、天板取付部６を回動可能に支持する第１軸部５３と、リンク部７を回動可能に支持する第２軸部５４と、が設けられている。
第１軸部５３は、一対の側壁部５２それぞれの後端部近傍で底板部５１よりも後側に突出している部分に取り付けられている。第１軸部５３は、軸線５３１が幅方向に延びる向きで側壁部５２を貫通するように設けられている。一対の側壁部５２それぞれに設けられた第１軸部５３は、同軸となっている。
【００２３】
第２軸部５４は、一対の側壁部５２それぞれの前側部分で第１軸部５３と間隔をあけた前側に取り付けられている。第２軸部５４は、軸線５４１が幅方向に延びる向きで側壁部５２を貫通するように設けられている。一対の側壁部５２それぞれに設けられた第２軸部５４は、同軸となっている。第１軸部５３と第２軸部５４とは、それぞれの軸線５３１，５４１が同じ高さに平行に配置されている。
【００２４】
（天板取付部）
図５に示すように、天板取付部６は、長尺の部材で前後方向に延びる向きで天板本体３１（図１参照）の下面３１ａに固定されている。天板取付部６は、幅方向に間隔をあけて２つ設けられている。幅方向の一方側の天板取付部６は、幅方向一方側の側壁部５２に支持され、幅方向の他方側の天板取付部６は、幅方向の他方側の側壁部５２に支持されている。なお、図５では、天板取付部６を覆うカバー部３２を省略している。
【００２５】
２つの天板取付部６は、幅方向に対称となる形状に形成されている。以下では、２つの天板取付部６のうちの幅方向の一方側に配置される天板取付部６を説明し、幅方向の他方側に配置される天板取付部６の説明を省略する。また、２つの天板取付部６をそれぞれ覆う２つのカバー部３２、２つの天板取付部６のそれぞれの内部に配置される２つの係止部８についても幅方向に対称となる形状に形成されている。以下では、２つのカバー部３２および２つの係止部８のうちの幅方向の一方側に配置されるカバー部３２および係止部８を説明し、幅方向の他方側に配置されるカバー部３２および係止部８の説明を省略する。
【００２６】
図６および図７に示すように、天板取付部６は、長さ方向（前後方向）に直交する断面形状が下側に開口するコ字形状（Ｃ字形状）となるように形成されている。
天板取付部６は、前後方向に延びて天板本体３１に固定される第１天板取付板部６１と、第１天板取付板部６１の幅方向の他方側の縁部から下側に延びる第２天板取付板部６２と、第１天板取付板部６１の幅方向の一方側の縁部から下側に延びる第３天板取付板部６３と、を有している。
天板取付部６には、第１天板取付板部６１、第２天板取付板部６２および第３天板取付板部６３に囲まれた空部６１５が形成されている。
第１天板取付板部６１には、例えば、ネジなどの固定具で天板本体３１に固定可能に構成されている。
【００２７】
第２天板取付板部６２および第３天板取付板部６３には、第１軸部５３が挿通される第１孔部６２１，６３１と、第１姿勢となると第２軸部５４が係合し、第２姿勢となると離間する第１切り欠き部６２２，６３２と、が前後方向の中間部に形成されている。第１切り欠き部は、Ｕ字形状で第１姿勢となると下側に開口し、第２姿勢となると際に前側に開口している。第１切り欠き部６２２，６３２は、第１孔部６２１，６３１よりも前側に配置されている。
【００２８】
第２天板取付板部６２および第３天板取付板部６３には、第２姿勢となるとリンク部７の接続部７１の上端部（前端部）が挿入される第２切り欠き部６２３，６３３が形成されている。第２切り欠き部６２３，６３３は、Ｖ字形状で第１姿勢となると下側に開口し、第２姿勢となると前側に開口している。第２切り欠き部６２３，６３３は、第１切り欠き部６２２，６３２よりも前側に配置されている。
第２天板取付板部６２および第３天板取付板部６３には、操作手段９の操作ロッド９４が挿通される第２孔部６２４，６３４が前端部近傍に形成されている。
【００２９】
図５に示すように、天板取付部６は、第１姿勢となると、第１天板取付板部６１が側壁部５２の上に配置され、第２天板取付板部６２が側壁部５２の幅方向の他方側の面に沿って配置され、第３天板取付板部６３が側壁部５２の幅方向の一方側の面に沿って配置される。すなわち、第１姿勢となると、天板取付部６の内部に側壁部５２の略全体が挿入される。このとき、第２天板取付板部６２および第３天板取付板部６３の第１切り欠き部６２２，６３２に第２軸部５４が挿入された状態となる。
天板取付部６は、第２姿勢となると、第１天板取付板部６１が側壁部５２の後に配置され、第２天板取付板部６２が側壁部５２後側部分の幅方向の他方側の面に沿って配置され、第３天板取付板部６３が側壁部５２の後側部分の幅方向の一方側の面に沿って配置される。すなわち、第２姿勢となると、天板取付部６の内部に側壁部５２の後側部分が挿入される。このとき、天板取付部６は、第２軸部５４と離間している。
【００３０】
図７に示すように、第２天板取付板部６２には、第１切り欠き部６２２よりも前側に幅方向に貫通し略前後方向に延びる溝部６４が形成されている。溝部６４は、第２孔部６２４の後側に連続して設けられている。溝部６４の溝幅は、第２孔部６２４の径よりもやや小さく設定されている。この溝部６４は、リンク部７の第２ピン７３が挿入され、第２ピン７３をガイドするガイド部となっている。
溝部６４は、前側から後側に向かって緩やかに下側に向かう方向に直線状に延びるガイド溝部６４１と、ガイド溝部６４１の後端部から後側に向かって漸次上側に向かう斜め方向に突出する係止溝部６４２と、を有している。ガイド溝部６４１と係止溝部６４２とは、略同じ溝幅に形成されている。
【００３１】
ガイド溝部６４１が延びる方向は、第１姿勢となると略前後方向となり、第２姿勢となると略上下方向となる。ガイド溝部６４１が延びる方向は、天板３の回動とともに、第１姿勢の略前後方向から第２姿勢の略上下方向、または第２姿勢の略上下方向から第１姿勢の略前後方向に変化する。なお、ガイド溝部６４１が延びる方向は、天板本体３１の下面３１ａに略沿った方向となっている。
ガイド溝部６４１は、天板３が回動する際に第２ピン７３が移動するように構成されている。係止溝部６４２は、第２ピン７３が挿入されると第２ピン７３の天板取付部６に対する移動を拘束するように構成されている。
【００３２】
（カバー部）
図３および図４に示すように、カバー部３２は、天板取付部６の幅方向の両側を覆う一対のカバー側板部３２１と、天板取付部６の下側覆うカバー下板部３２２と、天板取付部６の前側を覆うカバー前板部３２３と、天板取付部６の後側を覆うカバー後板部３２４と、を有している。カバー部３２は、天板本体３１または天板取付部６に固定されている。
カバー側板部３２１と天板取付部６との間には、リンク部７の接続部７１が配置されている。
カバー側板部３２１には、前端部近傍に上側に開口する切り欠き部３２１ａが形成されている。切り欠き部３２１ａは、天板取付部６の第２天板取付板部６２および第３天板取付板部６３に形成された第２孔部６２４，６３４と幅方向に重なる位置に配置されている。切り欠き部３２１ａには、操作手段９の操作ロッド９４が挿通される。
【００３３】
図８に示すように、カバー下板部３２２には、前後方向の中間部に上下方向に貫通し脚部２の側壁部５２（図３および図４参照）が挿入されるカバー下方開口部３２５が形成されている。カバー下方開口部３２５は、天板取付部６の内部に挿入される側壁部５２が貫通するように構成されている。
カバー下板部３２２には、カバー下方開口部３２５の前側に隣接して第１カバー下板部３２６（被覆部）が形成され、第１カバー下板部３２６よりも前側にカバー前板部３２３と連続する第２カバー下板部３２７が形成されている。第２カバー下板部３２７は、幅方向の両側が一対のカバー側板部３２１それぞれと連続している。
図８および図９に示すように、第１カバー下板部３２６は、一対のカバー側板部３２１と連続しておらず、一対のカバー側板部３２１との間にそれぞれ隙間３２８が形成されている。第１カバー下板部３２６は、前縁部のみが第２カバー下板部３２７と接続され、側縁部が一対のカバー側板部３２１と離間し、後縁部がカバー下方開口部３２５に向いている。カバー部３２は、弾性変形可能に構成されている。第１カバー下板部３２６は、前縁部を軸として上下方向に回動するように撓むことが可能となっている。第１カバー下板部３２６は、脚部２の側壁部５２と干渉しない位置に配置されている。
【００３４】
カバー部３２は、天板取付部６に取り付けられていて、天板取付部６とともに第１軸部５３回りに回動するように構成されている。カバー部３２は、第１姿勢となると、天板取付部６の内部に挿入される側壁部５２によってカバー下方開口部３２５の全体が塞がれる。カバー部３２は、第２姿勢となると天板取付部６の内部に挿入される側壁部５２の後側部分によってカバー下方開口部３２５の後部側（第２姿勢における下部側）が塞がれる。第２姿勢では、カバー下方開口部３２５の前部側（第２姿勢における上部側）は、側壁部５２に塞がれていない。
【００３５】
（リンク部）
図５および図１０に示すように、リンク部７は、断面形状が上側に開口するコ字形状（Ｃ字形状）となる長尺に形成された接続部７１と、接続部７１の長さ方向の一方の端部に設けられた第１ピン７２（一端）と、接続部７１の長さ方向の他方の端部に設けられた第２ピン７３（他端）と、を有している。
リンク部７は、幅方向に間隔をあけて２つ設けられている。２つのリンク部７は、幅方向に対称となる形状に形成されている。以下では、２つのリンク部７のうちの幅方向の一方側に配置されるリンク部７を説明し、幅方向の他方側に配置されるリンク部７の説明を省略する。
【００３６】
接続部７１は、前後方向に延びて板面が上下方向を向く第１接続板部７１１と、第１接続板部７１１の幅方向の他方側の縁部から上側に延びる第２接続板部７１２と、第１接続板部７１１の幅方向の一方側の縁部から上側に延びる第３接続板部７１３と、を有している。
第１接続板部７１１は、板面が略長方形状に形成されている。
第２接続板部７１２は、第１接続板部７１１よりも前後方向に長く形成され、前縁部が第１接続板部７１１の前縁部よりも前側に位置し、後縁部が第１接続板部７１１の後縁部よりも後側に突出している。
第３接続板部７１３は、第１接続板部７１１よりも前後方向に長く形成され、前縁部が第１接続板部７１１の前縁部とほぼ同じ位置で、後縁部が第１接続板部７１１の後縁部よりも後側に突出している。第３接続板部７１３は、前端部近傍の上部側が切り欠かれている。
【００３７】
第１ピン７２は、第２接続板部７１２および第３接続板部７１３の後縁部近傍を貫通するように設けられている。第１ピン７２は、第１接続板部７１１の後縁部よりも後方に位置している。
第２ピン７３は、第２接続板部７１２の前縁部近傍に設けられている。第２ピン７３は、第２接続板部７１２から幅方向の一方に突出している。
【００３８】
図５に示すように、リンク部７は、第２接続板部７１２が天板取付部６の第２天板取付板部６２の幅方向の他方側に配置され、第３接続板部７１３が第３天板取付板部６３の幅方向の一方側に配置され、第１接続板部７１１が第１天板取付板部６１の下面と対向し第２天板取付板部６２および第３天板取付板部６３の下側に配置されている。第１姿勢では、接続部７１は、天板取付部６に下側から被さった状態となっている。
【００３９】
幅方向の一方側に配置されたリンク部７は、第２ピン７３が幅方向の一方側に突出し、天板取付部６の溝部６４に幅方向の他方側から挿入されている。
幅方向の他方側に配置されたリンク部７は、第２ピン７３が幅方向の他方側に突出し、天板取付部６の溝部６４に幅方向の一方側から挿入されている。
【００４０】
第１ピン７２は、第２軸部５４を構成している。これにより、リンク部７は、第２軸部５４（第１ピン）の軸線５４１回りに回動可能に構成されている。第２軸部５４は、第１軸部５３と同軸ではないため、リンク部７と天板３とは互いに異なる挙動の回動となる。
リンク部７は、第２軸部５４の軸線５４１回りに回動することによって第２ピン７３が溝部６４のガイド溝部６４１に沿って延設方向に移動するように構成されている。
【００４１】
図１１に示すように、第１姿勢では、接続部７１が前後方向に延びる姿勢となり、接続部７１の第１接続板部７１１がカバー部の第１カバー下板部３２６の下側に重なって配置されている。第１接続板部７１１の前端部７１１ａは、第１カバー下板部３２６と第２カバー下板部３２７との接続部分に配置されている。
【００４２】
第２接続板部７１２および第３接続板部７１３は、カバー部３２の第１カバー下板部３２６とカバー側板部３２１との隙間３２８から天板取付部６とカバー部３２との間に挿入されている。
このとき、第２ピン７３は、ガイド溝部６４１の前端部よりもやや後側となる位置に配置されている。ガイド溝部６４１における第２ピン７３が配置される位置を第１姿勢第２ピン位置６４３とする。
【００４３】
天板３が第１姿勢から第２姿勢に向かって回動すると、ガイド溝部６４１に係止された第２ピン７３も天板３とともに移動するため、リンク部７は、第１ピン７２を中心として回動する。天板３の第１軸部５３と、リンク部７の第２軸部５４と、は異なる位置に配置されているため、第２ピン７３は、第２軸部５４を中心に回動しながらガイド溝部６４１を後側（係止溝部６４２側）に向かって移動する。
【００４４】
このとき、リンク部７の接続部７１も天板取付部６およびカバー部３２に対して後側に移動するため、接続部７１の第１接続板部７１１と第１カバー下板部３２６とが互いに離間する。第１接続板部７１１は、第１姿勢における前端部（第２ピン７３が設けられている側の端部）が第１カバー下板部３２６に沿って移動する。
【００４５】
図１２に示すように、天板３が第２姿勢となると、第１姿勢第２ピン位置６４３から後側（係止溝部６４２側）に移動した第２ピン７３は、係止溝部６４２まで移動して係止溝部６４２に挿入される。
第２姿勢では、リンク部７は、前端部が後端部よりも上側かつ後側となる斜めの姿勢となる。第１接続板部７１１は、第１カバー下板部３２６の下側に隣接し、カバー下方開口部３２５の上部側（第１姿勢における前部側）を覆っている。第１接続板部７１１の上端部７１１ａ（第１姿勢における前端部）は、第２天板取付板部６２および第３天板取付板部６３の第２切り欠き部６２３，６３３に入っている。第２接続板部７１２および第３接続板部７１３は、前側部分のみが天板取付部６と幅方向に重なっていて、カバー部３２と天板取付部６との間に挟まれている。
【００４６】
（係止部）
図１１−図１３に示すように、係止部８は、天板取付部６の空部６１５に配置され天板取付部６に固定された固定部８１と、天板取付部６の空部６１５に配置され固定部８１に対して移動可能に支持された可動部８２と、を有している。
固定部８１および可動部８２は、天板取付部６の空部６１５のうちの第１切り欠き部６２２，６３２よりも前側に配置されている。
【００４７】
可動部８２は、第２姿勢でリンク部７の第２ピン７３（図１２参照）を係止溝部６４２からガイド溝部６４１に移動させるための移動惹起部８３（図１１、図１２参照）と、第２姿勢で移動惹起部８３に取り付けられ係止溝部６４２に挿入された第２ピン７３を係止溝部６４２に押さえる第２ピン押さえ部８４（図１１、図１２参照）と、移動惹起部８３と連結され第１姿勢で天板支持部５の側壁部５２に形成された切り欠き部５２１（図１３参照）に係合可能な係合部材８５（図１３参照）と、を有している。可動部８２は、後述する操作手段９の操作によって前後方向に移動可能に構成されている。
【００４８】
図１１−図１５を参照し、固定部８１は、天板取付部６の第１天板取付板部６１（図１１−図１３参照）の下側に間隔をあけて対向して配置される固定板部８６と、固定板部８６の上部に固定されて可動部８２の移動惹起部８３、第２ピン押さえ部８４およびリンク部７の第２ピン７３（図１１−図１３参照）の変位方向を規制する第１規制部８７と、固定板部８６の上部に固定されて可動部８２の係合部材８５の変位方向を規制する第２規制部８８と、を有している。図１５に示すように、固定部８１と可動部８２との間には、ばね８１９が設けられていて、可動部８２を後側に付勢している。
【００４９】
固定板部８６は、天板取付部６の第１天板取付板部６１と平行に配置される第１固定板部８６１と、第１固定板部８６１の後側の縁部から下側に延びる第２固定板部８６２と、を有している。第１固定板部８６１は、幅方向の両縁部が天板取付部６の第２天板取付板部６２および第３天板取付板部６３の下部側に接合されている。本実施形態では、天板取付部６および固定板部８６は金属で形成されていて、第１固定板部８６１と第２天板取付板部６２および第３天板取付板部６３とは溶接されている。
第１固定板部８６１には、前後方向の中間部で幅方向の他方側に開口部８６３が形成されている。
固定板部８６の上部に固定された第１規制部８７、第２規制部８８および可動部８２は、固定板部８６、第１天板取付板部６１、第２天板取付板部６２および第３天板取付板部６３に囲まれている。
【００５０】
図１６および図１７に示すように、移動惹起部８３は、第１固定板部８６１の上部に摺動可能に配置されている。移動惹起部８３は、天板取付部６の第２天板取付板部６２の幅方向の一方側に配置され、第２天板取付板部６２に形成された溝部６４の後部側と幅方向に隣接している。溝部６４の後部側とは、ガイド溝部６４１の後部側と、係止溝部６４２とを示している。
移動惹起部８３は、前側に配置されて操作手段９の牽引部材９３が連結される連結部８３１と、連結部８３１における幅方向の他方側の後側に接続された本体部８３２と、を有している。
本体部８３２は、幅方向から見た形状が横臥した略Ｊ字形状に形成されていて、第１固定板部８６１に沿って配置される下側本体部８３３と、下側本体部８３３の後側の端部から上側に延びる後側本体部８３４と、後側本体部８３４の上端部から前側に延びる上側本体部８３５と、を有している。下側本体部８３３は上側本体部８３５よりも前後方向に長く、下側本体部８３３の後端部と上側本体部８３５の後端部とは上下方向に重なる位置に配置され、下側本体部８３３の前端部が上側本体部８３５の前端部よりも前側に位置している。
【００５１】
下側本体部８３３と上側本体部８３５とは上下方向に離間している。本体部８３２には、下側本体部８３３の後側部分の上面、後側本体部８３４の前面、および上側本体部８３５の下面に囲まれて幅方向に貫通し前側に開口する変位惹起溝部８３６が形成されている。変位惹起溝部８３６は、第２天板取付板部６２に形成された溝部６４の後部側と幅方向に隣接していて、溝部６４の後部側に係止されている第２ピン７３が幅方向から挿入されるように構成されている。
【００５２】
下側本体部８３３の上面および上側本体部８３５の下面は、略水平面に形成されている。後側本体部８３４の前面は、下部側８３４ａが下側から上側に向かって漸次後側に向かう後方に張り出す円弧面に形成され、上部側８３４ｂが、下側から上側に向かって漸次前側に向かう傾斜面に形成されている。後側本体部８３４の前面の上部側８３４ｂの傾斜面を第２ピン当接面８３４ｂとする。
【００５３】
下側本体部８３３には、変位惹起溝部８３６よりも前側部分に上下方向に貫通する孔部８３３ａが形成されていて、孔部８３３ａの内側に第２ピン押さえ部８４が回動可能に配置されている。第２ピン押さえ部８４の回動軸部８４３は幅方向に延び、下側本体部８３３に支持されている。下側本体部８３３には、孔部８３３ａの幅方向の両側の部分に、第２ピン押さえ部８４の突出ピン８４２（図１７参照）が配置される下側に開口する切り欠き部８３３ｂが形成されている。
【００５４】
第２ピン押さえ部８４は、板状の第２ピン押さえ部本体８４１と、第２ピン押さえ部本体８４１から幅方向の両側に突出する突出ピン８４２と、を有している。
図１１に示すように、第２ピン押さえ部本体８４１は、板面が幅方向を向く向きに配置され、前側に回動軸部８４３が設けられ、回動軸部８４３よりも後側に突出ピン８４２が突設されている。
上述したように、突出ピン８４２は、下側本体部８３３の下側に開口する切り欠き部８３３ｂに配置されている。突出ピン８４２は、切り欠き部８３３ｂの下向き面よりも上側には変位できないように構成されている。
突出ピン８４２は、下側本体部８３３に設けられたばね８４５（図１１および図１２参照）によって上側に付勢されていて、切り欠き部８３３ｂの下向き面に押し付けられている。これにより、第２ピン押さえ部８４は、下側に向かって回動せず、孔部８３３ａに挿入された状態に維持されている。なお、第２姿勢では、ばね８４５によって後側に付勢されている。
【００５５】
図１７に示すように、第２ピン押さえ部本体８４１は、板面が略扇形状に形成されている、第２ピン押さえ部本体８４１の板面の扇形の中心角は、鋭角となっている。第２ピン押さえ部本体８４１は、上記の中心角に対応する第１角部８４６の近傍に回動軸部８４３が設けられている。第１角部８４６は、Ｒ形状となっている。
第２ピン押さえ部本体８４１は、第１姿勢かつ操作手段９が操作されていない通常状態（ばね８４５に付勢されている状態）で、下側に位置し略前後方向に延びる下縁部８４１ａと、下縁部８４１ａの後端部から上側に向かって後側に張り出すように湾曲して延びる下側後縁部８４１ｂと、下側後縁部８４１ｂの上端部から上側に向かって漸次前側に向かう斜め方向に延びる上側後縁部８４１ｃと、上側後縁部８４１ｃの上端部から前側に延びる上縁部８４１ｄと、上縁部８４１ｄの前端部から前側に向かって漸次下側に向かう斜め方向に延びて下縁部８４１ａと接続される前縁部８４１ｅと、を有している。上側後縁部８４１ｃは、回動軸部８４３を中心とする円弧面に形成されている。
【００５６】
第２ピン押さえ部本体８４１は、下部側が孔部８３３ａに配置され、上部側が下側本体部８３３よりも上側に突出し変位惹起溝部８３６に配置されている。第２ピン押さえ部本体８４１の上部側は、幅方向から見ると、第２天板取付板部６２に形成された溝部６４と重なっている。
第２ピン押さえ部本体８４１の下縁部は、略水平面となり下側本体部８３３の下端部と同じ高さに配置されている。第２ピン押さえ部本体８４１の上縁部は、略水平面となる向きで変位惹起溝部８３６に配置され、上側本体部８３５の下面と間隔をあけて対向している。
第２ピン押さえ部本体８４１の上側後縁部８４１ｃは、下側本体部８３３よりも上側に配置され、後側本体部８３４よりも間隔をあけた前側に配置されている。
【００５７】
第２ピン押さえ部８４は、第１姿勢で下方に押圧されるとばね８４５を弾性変形させて回動軸部８４３よりも後方が下側に移動し、下部側が下側本体部８３３よりも下側に突出して第１固定板部８６１の開口部８６１ａに配置される。なお、第２ピン押さえ部８４は下側への押圧が解除されると、ばね８４５の復元力により上側に押され、通常状態の位置に戻るように構成されている。
【００５８】
図１２に示すように、第２ピン押さえ部８４は、第２姿勢となると係止溝部６４２に挿入された第２ピン７３に上側後縁部８４１ｃ（第２姿勢では後側の上縁部となっている）が前側から当接している。上述したように第２姿勢では、第２ピン押さえ部８４は、ばね８４５によって後側に付勢されているため、第２ピン７３を後側に押圧し、第２ピン７３が前側に移動して係止溝部６４２から抜け出てガイド溝部６４１に入り込むことを阻止している。
【００５９】
図１３および図１６に示すように、係合部材８５は、棒状の部材で前後方向に延びる向きで移動惹起部８３の連結部８３１の幅方向の一方側の部分の後側に接続されている、係合部材８５は、移動惹起部８３の本体部８３２と幅方向に隣接している、係合部材８５の後端部８５ａは、移動惹起部８３の後端部よりも後側に突出している。
【００６０】
第２規制部８８は、略直方体となるブロック状の部材で、下部側に下側かつ幅方向の内側に開口する前後方向に延びる切り欠き部８８１が形成されている。第２規制部８８は、切り欠き部８８１に係合部材８５が配置されるように、係合部材８５の上側および幅方向の一方側に配置されている。第２規制部８８は、下端部が第１固定板部８６１に固定されていて、係合部材８５と相対移動可能に構成されている。係合部材８５は、切り欠き部８８１および第１固定板部８６１の上面３１ｂに沿って前後方向に移動するように構成されている。第２規制部８８は、係合部材８５が前後方向に移動し、幅方向や上下方向に移動しないようにガイドしている。
【００６１】
図１５および図１８に示すように、第１規制部８７は、移動惹起部８３（図１５参照）の幅方向の一方側に設けられる第１側板部８７１と、移動惹起部８３の幅方向の他方側に設けられる第２側板部８７２と、移動惹起部８３の上部に設けられる上板部８７３と、移動惹起部８３の連結部８３１の幅方向の一方側の上部および幅方向の一方側に設けられる連結部当接部８７４と、を有している。
【００６２】
第１側板部８７１は、移動惹起部８３と、第２規制部８８および係合部材８５との間に配置されている。第１側板部８７１および第２側板部８７２は、前端部分が第１固定板部８６１の開口部８６３と上下方向に重なる位置に配置されていて、前端部分に下側に突出していて第１固定板部８６１の開口部８６３に配置される突出部８７１ａ，８７２ａがそれぞれ形成されている。
【００６３】
突出部８７１ａ，８７２ａは、それぞれ下側に向かって前後方向の寸法が小さくなる先細り形状に形成されている。突出部８７１ａ，８７２ａは、それぞれ前側の前縁部８７１ｂ，８７２ｂが上下方向に延び、後側の後縁部８７１ｃ，８７２ｃが後側から前側に向かって漸次下側に向かうように傾斜していて、前縁部８７１ｂ，８７２ｂの下端部と後縁部８７１ｃ，８７２ｃの下端部とが接続されている。
第１側板部８７１の幅方向の他方側の面および第２側板部８７２の幅方向一方側の面には、前側部分の下部側に下側に開口する略Ｖ字形の溝部８７１ｄ，８７２ｄがそれぞれ形成されている。溝部８７１ｄ，８７２ｄの側面のうちの後部側となる後側面８７１ｅ，８７２ｅは上下方向に延び、前部側となる前側面８７１ｆ，８７２ｆが後側から前側に向かって漸次下側に延びている。
【００６４】
溝部８７１ｄ，８７２ｄの前側面８７１ｆ，８７２ｆは、突出部８７１ａ，８７２ａの後縁部８７１ｃ，８７２ｃと連続している。溝部８７１ｄ，８７２ｄの前側面８７１ｆ，８７２ｆおよび突出部８７１ａ，８７２ａの後縁部８７１ｃ，８７２ｃは、第２ピン押さえ部８４の突出ピン８４２が沿って移動するように構成されている。この溝部８７１ｄ，８７２ｄの前側面８７１ｆ，８７２ｆおよび突出部８７１ａ，８７２ａの後縁部８７１ｃ，８７２ｃを突出ピンガイド面８７１ｇ，８７２ｇとする。
【００６５】
第２側板部８７２は、図７に示す天板取付部６の第２天板取付板部６２における溝部６４の後部側が形成されている部分と平行に配置されている。上述しているが、溝部６４の後部側とは、ガイド溝部６４１の後部側と、係止溝部６４２とを示している。
第２側板部８７２には、溝部６４の後部側と同じ形状の溝部８７５が溝部６４と幅方向に重なる位置に配置されている。第２側板部８７２の溝部８７５は、前側に開口している。第２側板部８７２の溝部８７５には、第２天板取付板部６２の溝部６４の後部側を移動する第２ピン７３の先端部が挿入されるように構成されている。
【００６６】
（操作手段）
図５に示すように、操作手段９は、天板本体３１の下側に配置された操作レバー９１（操作部）と、操作レバー９１と係止部８の可動部８２（図１１−図１３参照）とを連携する連携部９２と、を有している。
図１１−図１３に示すように、連携部９２は、天板取付部６の内部に配置され、可動部８２の連結部８３１と連結された牽引部材９３と、操作レバー９１と連結された操作ロッド９４と、操作ロッド９４に取り付けられて牽引部材９３が連結されるカム９５と、を有している。
【００６７】
操作レバー９１は、幅方向の一方側の天板取付部６よりもさらに幅方向の一方側に間隔をあけて配置されている。
図１９および図２０に示すように、操作レバー９１の幅方向の他方側に、保護壁部９６が隣接して設けられている。
保護壁部９６は、壁面が幅方向を向き前後方向に延びる壁体で、天板本体３１の下側に取り付けられている。保護壁部９６には、幅方向に貫通する孔部９６１が形成され、孔部９６１に操作ロッド９４が挿通されている。
【００６８】
図３に示すように、操作ロッド９４は、丸棒状の部材で、幅方向に延びる向きに設置されている。操作ロッド９４は、幅方向の一方側の天板取付部６およびカバー部３２を貫通し、幅方向の他方側の天板取付部６およびカバー部３２の内部に幅方向の他方側の端部が挿入されている。操作ロッド９４は、カバー部３２に形成された切り欠き部３２１ａ、および天板取付部６に形成された第２孔部６２４，６３４から天板取付部６およびカバー部３２の内部に挿入されている。
【００６９】
操作ロッド９４は、幅方向の一方側の端部が幅方向の一方側の天板取付部６よりも幅方向の一方側に突出し、保護壁部９６を貫通して操作レバー９１と連結されている。操作レバー９１は、使用者が上側に押すことで、操作ロッド９４をその軸線回りに回動させるように構成されている。操作レバー９１は、天板本体３１に直接固定されておらず、操作ロッド９４と連結されることで天板本体３１の下側に配置されている。
図１９および図２０に示すように、操作レバー９１の下端面９１ａは、保護壁部９６の下端面９６ａとほぼ同じ高さに配置されている。また、操作レバー９１の前端部９１ｂは、保護壁部９６の前端部９６ｂと前後方向にほぼ同じ位置し配置されている、操作レバー９１の後端部９１ｃは、保護壁部９６の後端部９６ｃよりも前側に配置されている。
【００７０】
図１３に示すように、カム９５は、２つの天板取付部６それぞれの内部において、操作ロッド９４に取り付けられている。カム９５は、板面がその板面に沿った位置の方向の一方の端部側が他方の端部側よりも幅広となるしずく形の板状の部材で、一方の端部側の幅広部９５１に操作ロッド９４が貫通し、他方の端部側の幅狭部９５２に牽引部材９３が連結されている。
カム９５と操作ロッド９４とは固定され、相対回転しないように構成されている。カム９５は、幅広部９５１が幅狭部９５２よりも前側に配置されている。
牽引部材９３は、棒状の部材で、前後方向に延びる向きで２つの天板取付部６それぞれの内部に配置されている。牽引部材９３は、後端部が可動部８２の連結部８３１に幅方向に延びる軸線回りに回動可能に連結され、前端部がカム９５の幅狭部９５２に幅方向に延びる軸線回りに回動可能に連結されている。
【００７１】
図１３に示す操作レバー９１が操作されていない状態から、図２１に示すように、操作レバー９１が操作されて操作ロッド９４が回動すると、カム９５の幅狭部９５２が下側かつ前側に移動するように回動し、カム９５の幅狭部９５２に連結された牽引部材９３が前側かつ下側に引っ張られる。牽引部材９３は、カム９５の幅狭部９５２に回動可能に連結されているため、カム９５の幅狭部９５２が下側かつ前側に移動するように回動したとしても、カム９５の回動軸回りには回動せず、前後方向に延びた姿勢のままと前側に移動する。なお、牽引部材９３は、カム９５の回動によって若干下側に移動する。
そして、牽引部材９３が前側に移動することにより、可動部８２が前側に移動する。可動部８２は、固定板部８６に沿って前側に移動する。なお、第２姿勢では、操作レバー９１が操作されると可動部８２が上側に移動する。
【００７２】
可動部８２が前側に移動すると、係合部材８５が前側に移動する。第１姿勢で側壁部５２の切り欠き部５２１に係合している係合部材８５が前側に移動すると、係合部材８５が切り欠き部５２１から抜け出るため、天板３が回動可能な状態となる。
なお、第２姿勢で可動部８２が上側に移動すると、係合部材８５は上側に移動するが、第２姿勢のでは第１姿勢のように係合部材８５が係止されていないため、係合部材８５が移動することによって解除される係止機構はない。
【００７３】
可動部８２が前側に移動すると、第２ピン押さえ部８４が前側に移動する。第２ピン押さえ部８４は、固定部８１の第１規制部８７に対して前側に移動するため、突出ピン８４２が第１規制部８７の突出ピンガイド面８７１ｇ，８７２ｇに沿って移動するため、後部側が下側に回動するように構成されている。このとき、第２ピン押さえ部８４は、固定板部の開口部に配置されるため、固定板部と干渉することはない。
第２姿勢では、可動部８２が上側に移動すると、第２ピン押さえ部８４は、前側に回動することになる。第２姿勢では、操作レバー９１が操作されていないと、第２ピン押さえ部８４は、後側に向かって回動するように第２ピン７３を押圧しているため、操作レバー９１が操作されて第２ピン押さえ部８４が前側に回動すると、第２ピン押さえ部８４は第２ピン７３と離間する。
【００７４】
可動部８２が前側に移動すると、移動惹起部８３が前側に移動する。
第２姿勢において、図２３に示す操作レバー９１が操作されていない状態から図２４に示す操作レバー９１が操作された状態となると、移動惹起部８３が上側に移動し、移動惹起部８３が係止溝部６４２に挿入されたリンク部７の第２ピン７３を下側から当接する。図２３−図２５は、図１２と幅方向の反対側から見た断面図となっている。
このとき、図２５に示すように、第２ピン７３には、移動惹起部８３の第２ピン当接面８３４ｂが当接されるため、第２ピン当接面８３４ｂが上側に移動することで、第２ピン７３は、上側かつ後側に押され、上側かつ後側に移動しようとする。このとき、第２ピン押さえ部８４は、前側に回動して第２ピン７３と離間していて、第２ピン７３を押圧していないため、第２ピン７３は、上側かつ後側に移動可能となり、係止溝部６４２からガイド溝部６４１に移動する。これにより、天板３が回動な状態となる。
なお、第１姿勢で可動部８２が前側に移動すると、移動惹起部８３は前側に移動するが、リンク部７の第２ピン７３は、ガイド溝部６４１の前端部近傍に配置されているため、移動惹起部８３が第２ピン７３を押すことはない。
【００７５】
天板３を、第１姿勢から第２姿勢とするには、図２１に示すように、操作レバー９１を操作し、可動部８２を前側に移動させる。これにより、係合部材８５が脚部２の側壁部５２の切り欠き部５２１から抜け出し、天板３が回動可能な状態となる。
第１姿勢の天板３の前端部を上方に持ち上げるようにして天板３を回動させる。天板３が回動すると、係合部材８５は側壁部５２の前側円弧面５２５と対向する。このため、操作レバー９１操作が解除されると、係合部材８５は後側に移動しようとするが、前側円弧面５２５に沿って移動するため前側に移動した状態に維持される。さらに天板３が回動すると、係合部材８５は前側円弧面５２５から離れるため、操作レバー９１操作が解除されていると後側（第２姿勢では下側）に移動して復元される。
【００７６】
天板３が回動し、天板取付部６が回動すると、リンク部７は、第２軸部５４を中心に回動する。リンク部７の第２ピン７３は、第２軸部５４を中心に回動し、第２天板取付板部６２の溝部６４を前側（第１姿勢第２ピン位置６４３）から後側（係止溝部６４２が形成されている側）に向かって移動する。
天板３が第１姿勢から第２姿勢に向かって回動して、リンク部７の第２ピン７３がガイド溝部６４１に沿って後側（係止溝部６４２に向かう側）に移動すると、第２ピン７３は、第２ピン押さえ部８４と当接する。このとき、第２ピン７３は、第２ピン押さえ部本体８４１の前縁部８４１ｅに前側から当接し、ガイド溝部６４１に沿って後側に移動しようとすることで第２ピン押さえ部本体８４１の前縁部８４１ｅを後側に押す。これにより、第２ピン押さえ部８４は、ばね８４５を弾性変形させて下側に回動し、ガイド溝部６４１への突出（幅方向から見てガイド溝部６４１と重なる部分）が小さくなる。その結果、第２ピン７３が第２ピン押さえ部本体８４１の前縁部８４１ｅおよび上縁部８４１ｄを押しながらガイド溝部６４１に沿ってさらに後方に移動可能となる。
このとき、ガイド溝部６４１は、第１姿勢における前側が第１姿勢における後側よりも上側となる略上下方向に延びた状態となっている。ここからは、ガイド溝部６４１の第１姿勢における前側を上側とし、第１姿勢における後側を下側として説明する。
【００７７】
図２２に示すように、天板３の回動により、第２ピン７３がさらに下方に移動してガイド溝部６４１と係止溝部６４２との境界部分に位置すると、第２ピン７３は、第２ピン押さえ部本体８４１の上縁部８４１ｄと上側後縁部８４１ｃとの角部８４１ｆに当接する。このとき、第２ピン押さえ部８４は、ばね８４５の復元力により、上縁部８４１ｄと上側後縁部８４１ｃとの角部８４１ｆが前側に向かうように回動軸部８４３回りに回動しようとする。これにより、図２３に示すように、第２ピン７３は、第２ピン押さえ部８４の角部８４１ｆに押されて前側に位置する係止溝部６４２に挿入される。
第２ピン７３は、係止溝部６４２に挿入されると前側の斜め上方に第２ピン押さえ部８４が配置され、第２ピン押さえ部８４の角部８４１ｆが当接しているため、係止溝部６４２から抜け出ないように構成されている。その結果、リンク部７の第２ピン７３が係止溝部６４２に係止された状態に拘束され、天板３が第２姿勢に維持される。
【００７８】
第２ピン７３が係止溝部６４２に挿入されると、第２ピン押さえ部８４の回動軸部８４３の軸心と、第２ピン７３と当接する第２ピン押さえ部本体８４１の角部８４１ｆとを結ぶ直線上に第２ピン７３の軸心が配置されている。また、第２ピン押さえ部８４の回動軸部８４３の軸心と、第２ピン７３と当接する第２ピン押さえ部本体８４１の角部８４１ｆとを結ぶ直線は、係止溝部６４２がガイド溝部６４１から突出する方向と略一致している。
これにより、第２姿勢の天板３を第１姿勢にしようとする外力によって、第２ピン７３を係止溝部６４２からガイド溝部６４１に移動させる方向のモーメントが生じた際に、第２ピン７３から第２ピン押さえ部８４に作用する力は、第２ピン押さえ部８４の回動軸部８４３に向かう方向であるため、第２ピン押さえ部８４が回動して第２ピン７３が移動することが防止される。
【００７９】
第２姿勢となると、リンク部７の第１接続板部７１１は、第１カバー下板部３２６の下側に隣接し、カバー下方開口部３２５の上部側（第１姿勢における前部側）を覆っている。第１接続板部７１１の上端部（第１姿勢における前端部）は、第２天板取付板部６２および第３天板取付板部６３の第２切り欠き部６２３，６３３に入っていて、第１カバー下板部３２６の下端部よりも後側に位置している。
【００８０】
天板３を、第２姿勢から第１姿勢とするには、図２４に示すように、操作レバー９１を上側に移動させ、可動部８２を上側に移動させる。これにより、移動惹起部８３および第２ピン押さえ部８４が上側に移動する。
第２ピン押さえ部８４は上側に移動することで、第２ピン７３と離間するとともに前側に回動してガイド溝部６４１へ突出する部分（幅方向から見てガイド溝部６４１と重なる部分）が小さくなる。
移動惹起部８３は上側に移動することで、第２ピン当接面８３４ｂが係止溝部６４２に挿入されたリンク部７の第２ピン７３に下側から当接し、第２ピン７３を上側に移動させる。上側に向かって押された第２ピン７３は、係止溝部６４２に沿って移動することになるため、係止溝部６４２を上側かつ前側に移動する。
【００８１】
このとき、第２ピン押さえ部８４は、第２ピン７３と離間していて、第２ピン７３を押圧していないため、第２ピン７３は、上側かつ前側に移動でき、係止溝部６４２からガイド溝部６４１に移動する。これにより、天板３が回動可能となる。
このとき、リンク部７の上端部（第２ピン７３が設けられている側の端部）が第２ピン７３の移動によって上側かつ前側に移動するため、リンク部７の第１接続板部７１１が上側かつ前側に移動し、上端部が第２天板取付板部６２および第３天板取付板部６３の第２切り欠き部６２３，６３３から出て、第１カバー下板部３２６の下端部よりも前側に位置した状態となる。
【００８２】
天板３をその上端部が前側かつ下側に移動するように回動させる。
リンク部７は、天板３が回動して天板取付部６が回動することで第２軸部５４を中心に回動し、第２ピン７３がガイド溝部６４１を下側（後側）から上側（前側）に向かって移動する。このとき、リンク部７の第１接続板部７１１は、上端部が第１カバー下板部３２６の下端部よりも前側に位置した状態となっているため。第１接続板部は、第１カバー下板部３２６の前面（第１姿勢における下面）に沿って移動する。天板３が第１姿勢となると、リンク部７の第１接続板部７１１は、第１カバー下板部３２６の下側に重なって配置され、前端部が第１カバー下板部３２６と第２カバー下板部３２７との接続部分の下側に配置される。
天板３が第１姿勢となると、第２ピン７３は、ガイド溝部６４１の第１姿勢第２ピン位置６４３に配置される。
【００８３】
天板３が第２姿勢から第１姿勢となる際に係合部材８５は、側壁部５２の前側円弧面５２５と当接し、前側円弧面５２５に沿って回動する。係合部材８５は、後側（下側）に付勢されていて前側に押されると前側に移動可能であるため、前側円弧面５２５に押されて前側に移動する、そして、天板３が第１姿勢となると、係合部材８５は前側円弧面５２５から離れ、切り欠き部５２１の前側に配置されるため、後側に移動し、切り欠き部５２１の内部に挿入される。
これにより、天板３の回動が拘束され、天板３が第１姿勢に維持される。
【００８４】
次に、上述した本実施形態による天板付き什器の作用・効果について図面を用いて説明する。
電源コンセント３３の配線３５が天板支持部５に設けられた第１配線保持部３６に保持され脚柱部２２に案内されていることにより、配線３５を脚柱部２２の上端部から下側に沿わせるように設置することができる。このため、配線３５が天板３から垂れ下がることがないとともに、天板３が回動し配線が移動した際に生じる配線３５の弛みを最小限に抑えることができるため、配線３５が天板３と脚部２とに挟まれることを防止することができる。
【００８５】
また、脚柱部２２には配線３５を保持する第２配線保持部３７が設けられていることにより、第１配線保持部３６から下側に延びる配線３５を第２配線保持部３７に保持させることで、容易に脚柱部２２に沿わせることができる。これにより、配線３５が脚柱部２２から離れて天板３が回動した際に脚部２と天板３とに挟まれる位置に移動することを防止することができる。
【００８６】
また、一対の天板取付部６は、天板３の下面３１ａに電源コンセント３３を幅方向から挟むように取り付けられている。これにより、天板３が第２姿勢になった場合でも、配線３５を一対の天板取付部６の間から下側に延ばして第１配線保持部３６に到達させることができ、配線３５が天板取付部６と干渉することがなく、配線３５が天板取付部６と脚部２との間に挟まれることを防止することができる。
【００８７】
以上、本発明による天板付き什器の実施形態について説明したが、本発明は上記の実施形態に限定されるものではなく、その趣旨を逸脱しない範囲で適宜変更可能である。
例えば、上記の実施形態では、天板支持部５に１つの第１配線保持部３６が設けられているが、複数の第１配線保持部３６が設けられていてもよい。
また、上記の実施形態では、天板３を回動可能に支持する天板支持部５に第１配線保持部３６が設けられているが、天板付き什器が、天板支持部５に代わる脚柱部の上部に取り付けられ水平方向に延びる部材（脚柱上部水平部材）を有する構成であれば、この部材に第１配線保持部３６が設けられていてもよい。
【００８８】
また、上記の実施形態では、１つの脚部２が天板３を支持しており、この１つの脚部２が天板３の板面の中心に接続されている。これに対し、幅方向に間隔をあけて設けられた一対の脚柱部が天板３を回動可能に支持し、一対の脚柱部が幅方向に延びる連結部材に連結されていてもよい。このような場合は、連結部材に第１配線保持部が設けられていてもよい。第１配線保持部は、連結部材に対して１つ設けられていてもよいし、連結部材の長さ寸法に合わせて複数設けられていてもよい。
また、上記の実施形態では、脚柱部２２には配線３５を保持する第２配線保持部３７が設けられているが第２配線保持部３７が設けられていなくてもよい。また、脚柱部２２に第２配線保持部３７が設けられている場合は、第２配線保持部３７の形態は適宜設定されてよい。
【００８９】
また、上記の実施形態では、一対の天板取付部６の間に電源コンセント３３が配置されているが、電源コンセント３３と天板取付部の配置は適宜設定されてよい。
また、上記の実施形態では、電源コンセント３３は、天板本体３１のほぼ中央に設けられているが、天板本体３１に対する位置は適宜設定されてよい。
また、上記の実施形態では、電源コンセント３３は、第１姿勢となると天板支持部５の上方となる位置に配置されているが、天板支持部５に対する位置は適宜設定されてよい。
【符号の説明】
【００９０】
１  天板付き什器
２  脚部（支持構造体）
３  天板
５  天板支持部（脚柱上部水平部材）
６  天板取付部
７  リンク部
２２  脚柱部
３１  天板本体
３１ａ  下面
３３  電源コンセント（通電部）
３４  コンセント部
３５  配線
３６  第１配線保持部
３７  第２配線保持部
【図１】
2020069333.tif 000003
【図２】
2020069333.tif 000004
【図３】
2020069333.tif 000005
【図４】
2020069333.tif 000006
【図５】
2020069333.tif 000007
【図６】
2020069333.tif 000008
【図７】
2020069333.tif 000009
【図８】
2020069333.tif 000010
【図９】
2020069333.tif 000011
【図１０】
2020069333.tif 000012
【図１１】
2020069333.tif 000013
【図１２】
2020069333.tif 000014
【図１３】
2020069333.tif 000015
【図１４】
2020069333.tif 000016
【図１５】
2020069333.tif 000017
【図１６】
2020069333.tif 000018
【図１７】
2020069333.tif 000019
【図１８】
2020069333.tif 000020
【図１９】
2020069333.tif 000021
【図２０】
2020069333.tif 000022
【図２１】
2020069333.tif 000023
【図２２】
2020069333.tif 000024
【図２３】
2020069333.tif 000025
【図２４】
2020069333.tif 000026
【図２５】
2020069333.tif 000027